(57)【要約】【課題】スポンジ体が容器本体内部でずれることを防止する爪エナメル除去器を提供すること。【解決手段】爪に塗られたエナメルを除去するための爪エナメル除去器（１）は、上部開口の有底円筒状の容器本体（１０）と、指の挿入を可能とする穴または切り込みを有し、エナメル除去液を含浸させた状態で容器本体内に装入され、上部が容器本体の上部開口縁で折り返されて容器本体の外周面に位置する円筒形状のスポンジ体（２０）と、折り返されたスポンジ体の上部を挟み込んだ状態で、容器本体の外周面上に装着されるリング体（３０）と、容器本体の上部開口を覆うキャップ（４０）とを備える。【選択図】図３
2018130423.tif 000002
【特許請求の範囲】
【請求項１】
爪に塗られたエナメルを除去するための爪エナメル除去器であって、
上部開口の有底円筒状の容器本体と、
指の挿入を可能とする穴または切り込みを有し、エナメル除去液を含浸させた状態で前記容器本体内に装入され、上部が前記容器本体の上部開口縁で折り返されて前記容器本体の外周面に位置する円筒形状のスポンジ体と、
折り返された前記スポンジ体の上部を挟み込んだ状態で、前記容器本体の外周面上に装着されるリング体と、
前記容器本体の上部開口を覆うキャップとを備える、爪エナメル除去器。
【請求項２】
前記スポンジ体は、前記容器本体内に装入されるスポンジ本体と、前記スポンジ本体から上方に突出し、前記リング体と前記容器本体との間に挟まれて前記容器本体の外周面に位置する上部突出片とを備え、
前記上部突出片の厚みは、前記スポンジ本体の厚みよりも薄い、請求項１に記載の爪エナメル除去器。
【請求項３】
前記スポンジ体は、前記容器本体に装入されていない状態において、略平板形状である、請求項１または２に記載の爪エナメル除去器。
【請求項４】
前記容器本体は、前記スポンジ体の外面を押圧するリブを有している、請求項１〜３のいずれかに記載の爪エナメル除去器。
【発明の詳細な説明】
【技術分野】
【０００１】
この発明は、手の指の爪に塗るマニキュアや、足の指の爪に塗るペディキュア等のエナメルを除去するための爪エナメル除去器に関するものである。
【背景技術】
【０００２】
従来の爪エナメル除去器の一例として、特許第５３５８７５２号公報（特許文献１）に開示されたものがある。
【０００３】
上記の特許文献１に開示された指先ケア用具（爪エナメル除去器）は、外周面に歯車状の突起を持つ筒状のスポンジ体と、このスポンジ体を収容する容器体とを有する。スポンジ体は、その一部を中空部内に折り返して折り返し部を作った状態で、容器体内に装入される。容器体は、その下部領域の内周面に、スポンジ体の外周面の溝部に係合するように突出して設けられた滑り止め部材を有する。好ましい指先ケア用具は、スポンジ体が容器体から脱落するのを防止するために、容器体の上部開口縁に指係止リングを嵌めている。指係止リングは、スポンジ体の折り返し部にリング状に当接する。スポンジ体には、エナメル除去液が含浸している。
【０００４】
上記の指先ケア用具を用いて爪のエナメルを除去する際には、指の爪をスポンジ体の中空部内に挿入し、指を回転させずに容器体を回転させる。あるいは、容器体を回転させずに指を回転させる。スポンジ体の外周面の溝部が容器体の滑り止め部材に係合しているので、スポンジ体は、容器体とともに回転し、あるいは容器体とともに静止する。したがって、指の爪に対して相対回転するスポンジ体が、指の爪の表面を擦ってエナメルを除去することになる。
【先行技術文献】
【特許文献】
【０００５】
【特許文献１】特許第５３５８７５２号公報
【発明の概要】
【発明が解決しようとする課題】
【０００６】
特許文献１の指先ケア用具では、スポンジ体は、滑り止め部材により容器体とともに回転し、容器体とともに静止する。すなわち、スポンジ体は、容器体内部での独立した回転が規制されている。さらに、指係止リングにより、スポンジ体の上方への移動が規制されている。
【０００７】
しかしながら、指先ケア用具を使用する際に、スポンジ体が、指の上下方向の動きに追従して容器体内部で上下方向にずれるおそれがある。特に、特許文献１の指先ケア用具には、スポンジ体の下方向の動きを制止する部材が設けられていないため、指をスポンジ体に挿入すると、指の下方への動きに追従して、スポンジ体が容器体内部で下方にずれるおそれがある。
【０００８】
本発明は、上記のような課題を解決するためになされたものであって、その目的は、スポンジ体が容器本体内部でずれることを防止する爪エナメル除去器を提供することである。
【課題を解決するための手段】
【０００９】
本発明の一態様に係る包装袋は、爪に塗られたエナメルを除去するための爪エナメル除去器であって、上部開口の有底円筒状の容器本体と、指の挿入を可能とする穴または切り込みを有し、エナメル除去液を含浸させた状態で容器本体内に装入され、上部が容器本体の上部開口縁で折り返されて容器本体の外周面に位置する円筒形状のスポンジ体と、折り返されたスポンジ体の上部を挟み込んだ状態で、容器本体の外周面上に装着されるリング体と、容器本体の上部開口を覆うキャップとを備える。
【００１０】
好ましくは、スポンジ体は、容器本体内に装入されるスポンジ本体と、スポンジ本体から上方に突出し、リング体と容器本体との間に挟まれて容器本体の外周面に位置する上部突出片とを備え、上部突出片の厚みは、スポンジ本体の厚みよりも薄い。
【００１１】
好ましくは、スポンジ体は、容器本体に装入されていない状態において、略平板形状である。
【００１２】
好ましくは、容器本体は、容器本体は、スポンジ体の外面を押圧するリブを有している。
【発明の効果】
【００１３】
上記構成を備える本発明によれば、スポンジ体が容器本体内部でずれることを防止する爪エナメル除去器を提供することができる。
【００１４】
好ましい実施形態の作用効果については、図面を参照しながら以下の項目で詳細に説明する。
【図面の簡単な説明】
【００１５】
【図１】爪エナメル除去器を示す図であり、（ａ）はその平面図、（ｂ）はその正面図である。
【図２】キャップを外した状態の爪エナメル除去器の正面図である。
【図３】図１（ａ）の指示線ＩＩＩ−ＩＩＩに沿って見た縦断面図である。
【図４】図３の一部分を拡大して示す拡大縦断面図である。
【図５】容器本体を示す図であり、（ａ）はその平面図、（ｂ）はその正面図である。
【図６】図５（ａ）の指示線ＶＩ−ＶＩに沿って見た縦断面図である。
【図７】リング部材を示す図であり、（ａ）はその平面図、（ｂ）はその正面図である。
【図８】キャップの縦断面図である。
【図９】スポンジ体を示す図であり、（ａ）はその斜視図、（ｂ）はその側面図である。
【図１０】スポンジ体を容器本体に装入することを説明する概念図である。
【図１１】上部突出片を折り返すことを説明する概念図である。
【図１２】リング部を装着することを説明する概念図である。
【図１３】手の人差し指をエナメル除去器内に挿入した状態を示す縦断面図である。
【図１４】足の親指をエナメル除去器内に挿入した状態を示す縦断面図である。
【図１５】本実施の形態におけるスポンジ体の変形例を示す図であり、（ａ）はその斜視図、（ｂ）はその側面図である。
【図１６】本実施の形態におけるスポンジ体の他の変形例を示す図であり、（ａ）はその斜視図、（ｂ）はその側面図である。
【図１７】本実施の形態におけるスポンジ体のさらに他の変形例を示す側面図である。
【発明を実施するための形態】
【００１６】
図１は、本発明の一実施形態に係る爪エナメル除去器１の全体外観図を示し、図３は、その縦断面図を示している。図２は、キャップ４０を取り外した状態の正面図である。図３の矢印Ａ１で示す方向を上下方向という。
【００１７】
爪エナメル除去器１は、手の指の爪に塗られたマニキュアや、足の指の爪に塗られたペディキュア等のエナメルを効率的に除去するためのものであり、図１〜図３に示すように、容器本体１０と、スポンジ体２０と、リング体３０と、キャップ４０とを備える。
【００１８】
図５および図６は、容器本体１０を示す。容器本体１０は、上部開口の有底円筒状の形態をしている。好ましい実施形態では、容器本体１０は、上部開口側に位置する円筒形状の上部領域１０Ａと、この上部領域１０Ａの下方に位置し、上部領域１０Ａの内部横断面積（内壁面によって取り囲まれる横断面積）よりも小さい内部横断面積を有する下部領域１０Ｂとを有する。その一例として、図示した容器本体１０は、円筒形状の上部領域１０Ａと、この上部領域１０Ａの下方に位置し底部に向かって先細りのテーパ形状の下部領域１０Ｂとを有する。
【００１９】
図５に示すように、容器本体１０の上部領域１０Ａと下部領域１０Ｂとの境界部分に位置する外周面には雄ねじ部１１が形成されている。また、雄ねじ部１１よりも僅かに上方に位置する外周面には、円周状に延びる位置規制突条１２が設けられている。
【００２０】
図６に示すように、容器本体１０の下部領域１０Ｂの内壁面には、円周方向に等間隔をあけて突出した複数のリブ１４が設けられていてもよい。リブ１４は、容器本体１０の底端から下部領域１０Ｂの上端まで延びているが、上部領域１０Ａには形成されていない。
【００２１】
図９は、スポンジ体を示す図であり、（ａ）はその斜視図、（ｂ）はその側面図である。図９の矢印Ａ１で示す方向を上下方向といい、矢印Ａ２で示す方向を左右方向、矢印Ａ３で示す方向を厚さ方向という。
【００２２】
図９に示すように、スポンジ体２０は、容器本体１０に装入されていない状態において、略平板形状である。スポンジ体２０は、容器本体１０内に装入されるスポンジ本体２１と、スポンジ本体２１から上方に突出する上部突出片２２とを備える。好ましい実施形態では、上部突出片２２の厚みＴ１は、スポンジ本体２１の厚みＴ２よりも薄い。スポンジ体２０を略平板形状にすることにより、単純な構造とすることができ、スポンジ体２０の生産性を高めると共に、生産コストを抑制することができる。
【００２３】
図１０に示すように、スポンジ体２０は、エナメル除去液を含浸させた状態で、容器本体１０内に装入される。容器本体１０に装入された状態では、スポンジ体２０は、全体として略円筒形状を有しており、その中央部分には指の挿入を可能とする穴または切り込みが設けられている。具体的には、スポンジ体２０は、左右方向両端部を当接させて丸められることで、その中央部分にスポンジ体２０の上端面から下端面まで貫通して延びる中心穴２３が形成される。
【００２４】
図３，４に示すように、スポンジ本体２１は、容器本体１０の底端から上端開口部近傍に至るまでの高さを有している。図１２に示すように、上部突出片２２は、容器本体の上部開口縁で折り返されて容器本体１０の外周面に位置する。具体的には、図３，４に示すように、上部突出片２２は、リング体３０と容器本体１０との間に挟まれて容器本体１０の上部領域１０Ａの外周面に位置する。
【００２５】
スポンジ本体２１が、リング体３０と容器本体１０との間に挟まれているため、指を挿入する際に、スポンジ体２０だけが容器本体１０内に押し込まれることを防止することができる。さらに、指を抜く際に、スポンジ体２０だけが容器本体１０から抜けることも防止することができる。したがって、スポンジ体２０の容器本体１０内部でのずれを防止することができる。
【００２６】
下部領域１０Ｂの内壁面に形成された複数のリブ１４は、スポンジ体２０の外面を押圧する。この構成により、容器本体１０の下部領域１０Ｂの内壁面とスポンジ体２０の下方部分とは、相対的な回転ずれが生じにくくなる。なお、スポンジ体２０には、リブ１４と係合する溝が設けられていてもよい。
【００２７】
図２〜４，７に示すように、リング体３０は、略円筒形状である。リング体３０の上端は、その中央部の直径よりも小さい直径の開口部３３である。容器本体１０に装着された状態では、開口部３３は、スポンジ体２０の上部突出片２２の上方に位置する。リング体３０は、容器本体１０の上部領域１０Ａの外周面上に回転自在に嵌められている。リング体３０は、その下端が容器本体１０の雄ねじ部１１の段差面に当接している。リング体３０の下端には、凹部３１が設けられている。容器本体１０の外壁面には、リング体３０の凹部３１と係合する位置規制突条１２が設けられている。したがって、容器本体１０の位置規制突条１２とリング体３０の凹部３１とを嵌め合わせることにより、リング体３０を容器本体１０の上方からその外周面上に嵌めることができる。リング体３０の装着後においては、リング体３０は、容器本体１０に対して自由に相対回転できるようになる。
【００２８】
図８に示すキャップ４０は、爪エナメル除去器１を使用しない時に、中央開口３４を閉塞するものであり、その内壁面に、容器本体１０の雄ねじ部１１に螺合する雌ねじ部４１を有している。図３に示すように、キャップ４０の天壁裏面には、シール性を確保するためのシール材４２が固定して取り付けられている。
【００２９】
図３に示す完成品の構造では、スポンジ体２０は、その下方部分が容器本体１０の下部領域１０Ｂの内壁面および複数のリブ１４によって中心側に向かって圧縮されている。他方、スポンジ体２０の上方部分も容器本体１０の上部領域１０Ａの内壁面によって中心側に向かって圧縮されているが、容器本体１０の上部領域１０Ａの内径が下部領域１０Ｂよりも大きいこと、および上部領域１０Ａにはリブが形成されていないことから、圧縮の度合いはスポンジ体２０の下方部分に比べて小さい。言い換えれば、容器本体１０内に装入されているスポンジ体２０の圧縮密度は、下部領域が大きく、上方領域が小さい。
【００３０】
上記の圧縮密度の差を利用して、細い手の指の爪のエナメルを除去する際には、指を容器本体１０の下部領域１０Ｂにまで挿入し、太い足の指の爪のエナメルを除去する際には、指を容器本体１０の上部領域１０Ａに挿入する。足の指は太いので、圧縮密度の小さいスポンジ体２０に挿入後は、スポンジ体２０は足の指によって十分に圧縮密度が高まり、エナメル除去作用を十分に発揮する。
【００３１】
図１０〜１２を参照して、爪エナメル除去器１の組立方法について説明する。
【００３２】
図１０に示すように、略平板形状のスポンジ体２０の左右方向両端縁を突き合せて、略円筒形状にする。さらに、略円筒形状にしたスポンジ体２０を容器本体１０の内部に装入する。これにより、図１１に示すように、スポンジ本体２１は、容器本体１０の内部に装入され、上部突出片２２は、容器本体１０の上部開口縁より上方へ突出する。このとき、略円筒形状のスポンジ体２０の外面は、容器本体１０のリブ１４により押圧される。
【００３３】
次に、上部突出片２２を容器本体１０の上部開口縁で折り返し、容器本体１０の外周面に位置させる。これにより、図１２に示すように、上部突出片２２は、容器本体１０の外周面に位置される。
【００３４】
上部突出片２２を容器本体１０の外周面に位置させた状態のまま、リング体３０を上方から容器本体１０に装着し、リング体３０の凹部３１を容器本体１０の位置規制突条１２に係合する。これにより、リング体３０は、スポンジ体２０の上部を挟み込んだ状態で、容器本体１０の外周面上にしっかりと装着される。最後に、リング体３０の上方からキャップ４０を被せ、容器本体１０の雄ねじ部１１とキャップ４０の雌ねじ部４１を係合させる。
【００３５】
図１３，１４を参照して、爪エナメル除去器１の使用状態について説明する。
【００３６】
図１３は、例示的に、手の人差し指の爪７０を容器本体１０の下部領域１０Ｂ内にまで挿入した状態を示している。右手の人差し指の爪７０のエナメルを除去する際には、例えば、右手の親指と中指とでリング体３０を回転しないように保持し、左手で容器本体１０を掴んで回転させる。爪７０は静止した状態なので、容器本体１０とともに回転するスポンジ体２０の中心穴２３の部分が爪７０上を圧迫して擦り、エナメルを除去することができる。
【００３７】
このように、指を容器本体１０の下部領域１０Ｂまで挿入した場合でも、スポンジ体２０の上部突出片２２が容器本体１０とリング体３０との間に挟まれているので、スポンジ体２０が、指の上下方向の動きに追従して、容器本体１０内部で上下方向にずれることを防止することができる。
【００３８】
図１４は、例示的に、足の親指の爪８０を容器本体１０の上部領域１０Ａ内に挿入した状態を示している。足の親指の爪８０のエナメルを除去する際には、例えば一方の手でリング体３０を回転しないように保持し、他方の手で容器本体１０を掴んで回転させる。爪８０は静止した状態なので、容器本体１０とともに回転するスポンジ体２０の中心穴２３の部分が爪８０上を圧迫して擦り、エナメルを除去する。
【００３９】
図示した実施形態の場合であっても、スポンジ体２０の上部突出片２２が容器本体１０とリング体３０との間に挟まれているので、スポンジ体２０に指を挿入する際にスポンジ体２０だけが容器本体１０内に押し込まれることを防止することができ、さらに、指を引き抜く際であっても、スポンジ体２０だけが容器本体１０から抜けることを防止することができる。このように、足の親指のように太くて短い指の場合であっても、スポンジ体２０だけが容器本体１０から抜けることを効果的に防止することができる。
【００４０】
図１５〜１７を参照して、本実施の形態におけるスポンジ体の変形例について説明する。以下の説明において、図１５〜１７の矢印Ａ１で示す方向を上下方向といい、矢印Ａ２で示す方向を左右方向、矢印Ａ３で示す方向を厚さ方向という。
【００４１】
図１５を参照して、スポンジ体２０Ａは、スポンジ体２０Ａの上面から内部に向かって、側面とほぼ平行にスリット２４Ａが形成されている。スリット２４Ａは、上面の左右方向の全長に沿って形成されている。スポンジ体２０Ａのうち、容器本体１０内に装入されるスポンジ本体２１Ａは、スリット２４Ａの下方に位置する部分であり、容器本体１０とリング体３０と挟まれる上部突出片２２Ａは、スリット２４Ａで分離される部分である。このような構成により、略平板形状のスポンジ体２０Ａにスリット２４Ａを入れるだけでよいため、生産性がよい。
【００４２】
また、スポンジ体２０Ｂは、容器本体１０に装入されていない状態において、略平板形状であることに限定されない。図１６を参照して、スポンジ体２０Ｂのスポンジ本体２１Ｂは、その下方端の厚みが上方端の厚みより厚い側面視略台形形状であってもよい。たとえば、スポンジ本体２１Ｂの下方端の厚みＴ２は、上方端の厚みＴ３よりもおよそ２倍以上厚くてもよい。これにより、スポンジ体２０Ｂを容器本体１０に装入して円筒形状にした状態において、容器本体１０の下部領域１０Ｂのスポンジの密度を高くすることができ、手の指の爪のエナメルを除去する際に、手の指を容器本体１０の下部領域１０Ｂまで差し込んだとしても、爪のエナメルとスポンジ本体２１がより密着し、エナメルを除去しやすくすることができる。
【００４３】
図１７を参照して、スポンジ体２０Ｃのスポンジ本体２１Ｃは、下方端の厚みが上方端の厚みより薄い側面視略台形形状であってもよい。たとえば、スポンジ本体２１Ｃの上方端の厚みＴ３は、下方端の厚みＴ２よりもおよそ２倍以上厚くてもよい。スポンジ体２０Ｃを容器本体１０に装入して円筒形状にした状態において、上部突出片２２がリング体３０と容器本体１０に挟まれて上方に引っ張られても、スポンジ本体２１Ｃの上方端の厚みＴ３が厚いため、上方端が肉薄になることがない。これにより、太くて短い足の指を容器本体１０の上方領域１０Ａ内にしか挿入できなくても、指の爪のエナメルを効率的に除去することができる。
【００４４】
図面を参照して説明した実施形態は、本発明を例示的に説明した一例であり、種々の修正や変更が可能である。例えば、以下のような変更が考えられる。
【００４５】
なお、各実施の形態において、スポンジ体２０，２０Ａの形状は、略平板形状であるとして説明したが、限定的ではない。スポンジ体の形状は、スポンジ体を容器本体に装入した状態で、円筒形状になるものであればよい。例えばスポンジ体は、全体として略円柱形状であってもよい。この場合、スポンジ体の指挿入開口の形状は任意に選ぶことができる。また、容器本体の内壁面にリブが設けられる場合、円柱形状のスポンジ体の外周面に溝を設けてもよい。
【００４６】
また、容器本体１０が、テーパ形状の下部領域１０Ｂを有さず、上下方向に亘ってほぼ同径の単純な円筒形状のものであってもよい。この場合、典型的には、手の指の爪のマニキュア除去専用器、または足の指の爪のペディキュア除去専用器として利用してもよい。
【００４７】
また、リング体３０と容器本体１０に挟まれた上部突出片２２からエナメル除去液が外部に漏れないようにするために、上部突出片２２の下方に位置するリング体３０の内周面または容器本体１０の外周面に、下方に突出する凹部が設けられていてもよい。これにより、リング体３０と容器本体１０に挟まれた上部突出片２２からエナメル除去液が染み出ても、溝にエナメル除去液が溜まるため、容器本体１０外部にエナメル除去液が漏れることはない。
【００４８】
今回開示した上記各実施の形態は全ての点で例示であって、限定的な解釈の根拠となるものではない。したがって、本発明の技術的範囲は、上記した各実施の形態のみによって解釈されるのではなく、特許請求の範囲の記載に基づいて画定される。また、特許請求の範囲の記載と均等な意味及び範囲内でのすべての変更が含まれる。
【産業上の利用可能性】
【００４９】
本発明は、簡易な構造の爪エナメル除去器として有利に利用され得る。
【符号の説明】
【００５０】
１  爪エナメル除去器、１０  容器本体、１０Ａ  上部領域、１０Ｂ  下部領域、１１  雄ねじ部、１２  位置規制突条、１４  リブ、２０，２０Ａ  スポンジ体、２１，２１Ａ  スポンジ本体、２２，２２Ａ  上部突出片、２３  中心穴、２４Ａ  スリット、３０  リング体、３１  凹部、３３  開口部、３４  中央開口、４０  キャップ、４１  雌ねじ部、４２  シール材、７０，８０  爪。
【図１】
2018130423.tif 000003
【図２】
2018130423.tif 000004
【図３】
2018130423.tif 000005
【図４】
2018130423.tif 000006
【図５】
2018130423.tif 000007
【図６】
2018130423.tif 000008
【図７】
2018130423.tif 000009
【図８】
2018130423.tif 000010
【図９】
2018130423.tif 000011
【図１０】
2018130423.tif 000012
【図１１】
2018130423.tif 000013
【図１２】
2018130423.tif 000014
【図１３】
2018130423.tif 000015
【図１４】
2018130423.tif 000016
【図１５】
2018130423.tif 000017
【図１６】
2018130423.tif 000018
【図１７】
2018130423.tif 000019